(57)【要約】      （修正有）【課題】通受角梁の両横面に取付角梁を取付ける場合に受梁に彫り込む深さを3cmに限定し在来工法として常用されている大入式蟻ホソを改良し大入を省き蟻ホソ巾を広くして上部より下部を絞り載架重力を利用して梁胴付の取付締付力を強め耐震や耐風性に対抗力を確保する。【解決手段】通受角梁に角梁を取付ける際に在来工法は符号2の深さ15mmの大入にて梁の背高の大小に拘わらず載架重力に対抗し小幅の蟻ホソにて取付力を維持しているが本考案は受梁の残肉厚を保存しながら耐載架重力を維持し取付力や胴付締付力を強化し耐災害時の安全性を確保。【選択図】図４
0003131156.tif 000002
【実用新案登録請求の範囲】
【請求項１】
木造建築の工事工程の中に於いて通角梁(平物梁)に角梁を取付ける場合の木口仕口の工法に於いて在来の工法にては受ける梁に対する彫込む負担(深さ)が予期せぬ災害時の構造弱体に繋がり懸念されていたので耐震耐風性を目的とした梁取付構造工法。
【考案の詳細な説明】
【技術分野】
【０００１】
本考案は木造建築構造軸組工事工程の中に於いて通角梁に角梁を片面又は両面に取付ける場合に於いて取付梁の木口の仕口を受梁に彫り込む深さを成るべく浅くして尚且つ在来工法よりも災害時の受梁の構造強度を保つ工法。
【背景技術】
【０００２】
在来の工法は大入式蟻ホソ工法で取付梁の木口を受梁の取付部の横面に木口全面を15mmの深さに彫り込み其の先に深さ25mmの蟻ホソを彫り込み合計40mmの深さを受梁に彫り込む工法が常用されていて受梁の厚巾が12cmの場合は片面に取付く場合は受梁の残肉厚が8cmは残るけれど両面に取付く場合は残肉4cmで受梁の上端・下端に管柱が取付く場合は柱のホソ厚3cmで合計11cmとなり残肉1cmと成り地震や耐風等予期せぬ圧力が加わった場合には構造的弱点となり懸念課題であった。
【特許文献１】特開  ２０００−１９２５５０
【考案の開示】
【考案が解決しようとする課題】
【０００３】
従来の角梁に角梁を取付ける場合の工法は前記文献１にも示されて居るように大入式蟻ホソ工法が常用工法であるために受梁に彫り込まれる深さが避けられず受梁に無理な弱点も避けられなかったので取付梁の耐載架重力と取付力の低下を防ぎながら受梁の保護強化を保つ構造工法。
【課題を解決するための手段】
【０００４】
本考案は通受梁の両面に梁が取付き上端・下端に管柱が取付く場合の厳条件の際に在来工法は受梁の残肉厚が1cmを3cmに保ちながら取付梁の載架重により蟻ホソを上面より下面を絞蟻ホソとし取付力と耐載架重力を確保し予期せぬ災害時の耐圧力を特徴とする。
【考案の効果】
【０００５】
本考案は上記に記載の厳条件の際にも其々の構造仕口も損なう事無く無理の
ない仕口にて構造体を保存出来る工法。
【考案を実施するための最良の形態】
【０００６】
本考案の一実施例に付いて図面を参照して説明する。
【実施例１】
【０００７】
図1は通受角梁Ａの両面にＢ・Ｃの取付角梁が取付く際にＢ梁に在来大入式
蟻ホソ(符号2・3)と符号1の本考案の蟻ホソ及び管柱が建つ場合の状況を上部から見た平面見取り図。
図2は図1の在来工法の大入式蟻ホソ・本考案の蟻ホソ・管柱のホソを断面的に見た通受梁の断面状況図。(Ａ受梁の厚巾12cm背高30cm、Ｂ・Ｃ取付梁厚巾12cm背高20cmの例、Ｄは上端管柱、Ｅは下端管柱12cm角の例)
図3はＣ取付梁の断面から見た絞り蟻ホソ平正面の立面状況図。(Ａ受梁の厚巾12cm背高40cm取付梁Ｂ・Ｃの厚巾12cm背高30cm上部・下部管柱12cm角の例)
図4は下部を絞った蟻ホソをＡ受梁に彫り込む仕口部分の斜視図。(受梁・取付梁・管柱は上記図の3と同サイズの例)
図5は在来工法の大入式蟻ホソをＡ受梁に彫り込む仕口部分の斜視図。(受梁・取付梁は上記図の3と同サイズの例)
【図面の簡単な説明】
【０００８】
【図１】通梁Ａの両面に取付Ｂ梁に在来工法の仕口をＣ梁に本考案の仕口の状況の上部平面見取り図。
【図２】上記の各ホソの受梁断面状況図。
【図３】本考案の下部絞り蟻ホソの平正面図。
【図４】本考案の下部絞り蟻ホソを受梁に彫り込む部分の斜視図。
【図５】在来工法の大入式蟻ホソをＡ受梁に彫り込む部分の斜視図。
【符号の説明】
【０００９】
Ａ：通受梁                      Ｂ：取付梁  
Ｃ：取付梁                      Ｄ：通受梁の上端に取付く管柱  
Ｅ：通受梁の下端に取付く管柱     1：下部絞り蟻ホソ  
1b：蟻ホソの胴付元巾の線          1c：蟻ホソのホソ先巾の線                
1d：下部絞り蟻ホソの底部           2：在来工法の大入部分  
2b：在来工法の大入側面          2c：在来工法の大入下部底部          
３：在来工法の蟻ホソ部分         ３b：在来工法の蟻ホソの胴付元巾の線
3c：在来工法の蟻ホソのホソ先巾の線  ４：上部管柱のホソ断面
５；取付梁の胴付部分            ６：上部管柱の胴付部分
７：下部管柱のホソ断面
【図１】
0003131156.tif 000003
【図２】
0003131156.tif 000004
【図３】
0003131156.tif 000005
【図４】
0003131156.tif 000006
【図５】
0003131156.tif 000007
【手続補正書】
【提出日】平成18年11月8日(2006.11.8)
【手続補正１】
【補正対象書類名】実用新案登録請求の範囲
【補正対象項目名】全文
【補正方法】変更
【補正の内容】
【実用新案登録請求の範囲】
【請求項１】
木造建築の工事工程の中に於いて通し平物角梁に平物角梁を片面又は両面に取付ける場合の木口の仕口の取付け蟻ホソが在来常用にては受ける梁に対する彫込む負担の深さが予期せぬ災害時の構造弱体に繋がり懸念されていたので耐震耐風性を目的とした梁横面に梁を取付ける際の受ける角梁に彫り込む負担を軽くする構造的な蟻ホソの幅を上部よりも下部を絞った蟻ホソ。
【手続補正２】
【補正対象書類名】明細書
【補正対象項目名】全文
【補正方法】変更
【補正の内容】
【考案の詳細な説明】
【技術分野】
【０００１】
本考案は木造建築構造軸組工事工程の中に於いて通し角梁に角梁を片面又は両面に取付ける場合に於いて取付け梁の木口の仕口を受梁に彫り込む深さを成るべく浅くして在来常用されている取付け蟻ホソよりも災害時の受梁の構造強度を保つために取付け梁の仕口の蟻ホソの上部よりも下部を絞って載荷重により取付け角梁の胴付を締付ける下部絞り蟻ホソ。
【背景技術】
【０００２】
在来の取付け仕口蟻ホソは大入れ式蟻ホソで取付け梁の木口の仕口を受梁の取付け部の横面に木口全面を15mmの深さに彫り込み其の先に深さ25mmの蟻ホソを彫り込み合計40mmの深さを受梁に彫り込む仕口が常用されていて受梁の厚巾が12cmの場合は片面に取付く場合は受梁の残肉厚が8cmは残るけれど両面に取付く場合は残肉4cmで受梁の上端・下端に管柱が取付く場合は柱のホソ厚3cmで合計11cmとなり残肉1cmと成り地震や台風等予期せぬ圧力が加わった場合には構造的弱点となり懸念課題であった。
【特許文献１】特開  ２０００−１９２５５０
【考案の開示】
【考案が解決しようとする課題】
【０００３】
従来は角梁の横面に角梁を取付ける場合の蟻ホソは前記文献１にも示されて居るように大入式蟻ホソが常用であるために受梁に彫り込まれる深さが避けられず受梁の厚幅に残肉が少なく災害時に無理な弱点も避けられなかったので取付け梁の耐載架重力と取付力の低下を防ぎながら受梁の保護強化を保つ構造的蟻ホソ。
【課題を解決するための手段】
【０００４】
本考案は通受角梁の両面に角梁が取付き上端・下端に管柱が取付く場合の厳条件の際に在来仕口蟻ホソは受梁の残肉厚が1cmを3cmに保ちながら取付け梁の載架重により蟻ホソを上面より下面を絞蟻ホソとして取付力と耐載架重力を確保し予期せぬ災害時の耐圧力的に強度を保つ下絞り蟻ホソを特徴とする。
【考案の効果】
【０００５】
本考案は0002に記載の厳条件の際にも其々の構造仕口も損なう事無く無理のない仕口にて取付け角梁への荷重力によって下絞り蟻ホソの胴付が締付けられて構造体を保存出来る下絞り蟻ホソ。
【考案を実施するための最良の形態】
【０００６】
本考案の一実施例に付いて図面を参照して説明する。
【実施例１】
【０００７】
図1は通し受角梁符号1の両面に取付く符号２及び３の角梁が取付く際に符号２に在来常用の取付け仕口蟻ホソと符号３に本考案の取付け仕口の絞り蟻ホソ及び管柱が建つ場合の各ホソの状況を上部から見た平面見取り図。
【０００８】
図2は図1の在来の大入れ式蟻ホソ・本考案の絞り蟻ホソ・管柱のホソを断面的に見た通し受梁符号1の断面状況図で符号１の受梁の厚巾12cm背高30cm、符号２及び３の取付け梁の厚巾12cm背高20cmの例及び符号4の上端の管柱並びに符号５の下端の管柱を12cm角とした場合を例とした図。
【０００９】
図3は符号３の取付け梁の断面部分の絞り蟻ホソ仕口を平正面から見た木口立面状況図であり符号１受梁の厚巾12cm背高40cm取付梁符号２及び3の厚巾12cm背高30cm上部・下部管柱12cm角の場合を例とした図。
【００１０】
図4は符号１の受梁に取付け梁符号3の木口を彫り込む下絞り蟻ホソ仕口部分の斜視図。蟻ホソ３ｂの上端並びに下端の深さは3cmとし上端の胴付元首幅を6cmとしホソ先幅を8cmとして、下端の胴付もと首幅を5cmとしホソ先幅を7cmとして蟻ホソの幅を上端よりも下端を1cm絞った斜視図。
【００１１】
図5は在来の大入式蟻ホソを符号１の受梁に彫り込む仕口部分の斜視図。
【図面の簡単な説明】
【００１２】
【図１】通し角梁符号1の両面に取付く梁符号2に在来蟻ホソの仕口を、取付く梁符号３に本考案の仕口蟻ホソの状況を上部から見た平面見取図。
【図２】上記の各ホソの受梁符号１の断面状況図。
【図３】本考案の下部絞り蟻ホソの平正面図。
【図４】本考案の下部絞り蟻ホソを受梁に彫り込む部分の斜視図。
【図５】在来工法の大入式蟻ホソを符号1の受梁に彫り込む部分の斜視図。
【符号の説明】
【００１３】
1：通し受平角梁、厚12cmの例
2：上記符号1に取付く平角梁
2ｂ：上記符合1の通し角梁に上記2の角梁を取付ける際の在来の蟻ホソ
2ｃ：上記2ｂの在来蟻ホソの取付け仕口の際に胴付を入込む大入れ部分
2ｄ：上記2ｂの蟻ホソ首元幅4cmの内角部の線
2ｅ：上記2ｂの蟻ホソ先幅6cmの外角部の線
2ｆ：上記2ｃの大入深さ15mmを入れ込む側面部分
2ｇ：上記2ｃの大入の胴付部分
2ｈ：蟻ホソを受梁の上端より高さ3分の2で留めた場合の下端の位置
3：上記符号1に取付く平角梁
3`：符号1の受梁に上記3の角梁を取付けた際の胴付の位置
3ｂ：上記符号1に取付く上記3の角梁を取付ける際の蟻ホソ
3ｃ：上記3ｂの胴付首元幅6cmの内角部の線
3ｄ：上記3ｂのホソ先幅8cmの外角部の線
3ｅ：蟻ホソを受梁の上端より高さ3分の2にて留めた場合の下端の位置
4：上記符号1の通し角梁の上端に取付く12cm角の管柱の例
4ｂ：上記4の柱の胴付部分、点線は柱の外面位置
4ｃ：上記4の取付けホソ
5：上記符号1通し角梁の下端に取付く12cm角の管柱の例
5ｂ：上記5の柱の胴付部分
5ｃ：上記5の取付けホソ
【手続補正３】
【補正対象書類名】図面
【補正対象項目名】全図
【補正方法】変更
【補正の内容】
【図１】
0003131156.tif 000008
【図２】
0003131156.tif 000009
【図３】
0003131156.tif 000010
【図４】
0003131156.tif 000011
【図５】
0003131156.tif 000012
【手続補正書】
【提出日】平成19年2月1日(2007.2.1)
【手続補正１】
【補正対象書類名】実用新案登録請求の範囲
【補正対象項目名】全文
【補正方法】変更
【補正の内容】
【実用新案登録請求の範囲】
【請求項１】
木造建築の工事工程の中に於いて通し平物角梁に平物角梁を片面又は両面に取付ける場合の木口の仕口の取付け蟻ホソが在来常用にては受ける梁に対する彫込む負担の深さが予期せぬ災害時の構造弱体に繋がり懸念されていたので耐震耐風性を目的とした梁横面に梁を取付ける際の受ける角梁に彫り込む負担を軽くするための取付ける梁の先端木口の仕口を構造的な蟻ホソの幅を上部よりも下部を絞った蟻ホソを有する梁。